(57)【要約】      （修正有）【課題】光ディスクプレーヤを使用して開始されるオンライン対話を容易にする方法を提供する。【解決手段】光ディスクプレーヤ１０５から開始されたユーザ要求から情報を引き出し、その後この引き出した情報を使用して既存のユーザ固有の情報を識別する。所望のオンライン対話に特化したものであるとともに引き出した情報及び既存情報に関連付けられた短符号がバックエンドサーバ１５０により生成され、光ディスクプレーヤ１０５に返送される。その後、この短符号がユーザにより第２の家庭用電子機器１４５からバックエンドサーバ１５０に戻され、これを使用して、所望の対話を実現するための対象ウェブサイト及び以前に識別された既存情報などの関連情報が取り出される。取り出した情報を使用して、ユーザがウェブサイトにリダイレクトされる前に対象ウェブサイト上のデータフィールドが埋められる。【選択図】図１
2011101357.tif 000002
【特許請求の範囲】
【請求項１】
オンライン対話を容易にする方法であって、
光ディスクプレーヤによりネットワーク接続を介して提供された、所望のオンライン対話に対応するユーザ要求からユーザ固有の情報及び文脈情報を引き出すステップと、
前記ユーザ固有の情報を使用して、前記ユーザに対応する既存情報を識別するステップと、
前記ユーザ固有の情報、文脈情報及び前記既存情報の少なくとも一部に関連付けられた、所望のオンライン対話に特化した短符号を生成するステップと、
前記ユーザ要求を受け取った元の前記光ディスクプレーヤへ前記ネットワークを介して前記短符号を送信するステップと、
を含むことを特徴とする方法。
【請求項２】
前記ユーザ要求が、前記光ディスクプレーヤにより表示されるオンライン対話オプションを前記ユーザが選択したときに生成される、
ことを特徴とする請求項１に記載の方法。
【請求項３】
前記ユーザ固有の情報が、前記ユーザ、光ディスクプレーヤ、又は前記ユーザの家族に一意の識別番号を含む、
ことを特徴とする請求項１に記載の方法。
【請求項４】
前記文脈情報が、前記ユーザ要求時に視聴されていたコンテンツ、前記ユーザ要求時にアクセスされていた光ディスクプレーヤのメニュー、光ディスクプレーヤの種類、前記ユーザの場所、及び前記ユーザ又はプレーヤに視聴されたコンテンツの履歴に関する情報の少なくとも１つを含む、
ことを特徴とする請求項１に記載の方法。
【請求項５】
前記既存情報が、前記ユーザの名前、住所、電話番号及びクレジットカード情報、メディア形式の好み、視聴履歴、プレーヤの設定の好み、ユーザ名及びパスワード、小売店固有の値付け又は割引き、近日公開される劇場情報、カスタマイズされた情報、ソーシャルネットワーク又はインスタントメッセージングリスト、及びライブサーチパラメータの少なくとも１つを含む、
ことを特徴とする請求項１に記載の方法。
【請求項６】
前記短符号を、前記既存情報、ユーザ固有の情報及び文脈情報とともにリレーショナルデータベースに記憶するステップをさらに含む、
ことを特徴とする請求項１に記載の方法。
【請求項７】
前記短符号が４桁から６桁の間の英数字から成る、
ことを特徴とする請求項１に記載の方法。
【請求項８】
前記短符号を、ウェブサイトインターフェイスに組み入れられた第２の家庭用電子機器から前記ネットワークを介して受け取るステップをさらに含む、
ことを特徴とする請求項１に記載の方法。
【請求項９】
前記第２の家庭用電子機器が、パーソナルコンピュータ、ラップトップ、携帯情報端末及びスマートフォンのうちの１つを含む、
ことを特徴とする請求項８に記載の方法。
【請求項１０】
所望の対話を実現する対象ウェブサイトを含むとともに前記既存情報の少なくとも一部をさらに含む利用可能な情報を含む、前記短符号に関連する利用可能な情報をデータベースから取り出すステップをさらに含む、
ことを特徴とする請求項８に記載の方法。
【請求項１１】
前記対象ウェブサイト上の１又はそれ以上のデータフィールドを前記利用可能な情報で埋めるステップをさらに含む、
ことを特徴とする請求項１０に記載の方法。
【請求項１２】
前記１又はそれ以上のデータフィールドを埋めるステップの後に、前記ユーザを前記対象ウェブサイトにリダイレクトするステップをさらに含む、
ことを特徴とする請求項１１に記載の方法。
【請求項１３】
ネットワークインターフェイスと、
コンピュータ実行可能命令を含むメモリと、
前記メモリ及びネットワークインターフェイスに結合されたプロセッサと、
を備え、前記プロセッサが、前記コンピュータ実行可能命令を実行して、
光ディスクプレーヤによりネットワーク接続を介して提供された、所望のオンライン対話に対応するユーザ要求からユーザ固有の情報及び文脈情報を引き出し、
前記ユーザ固有の情報を使用して、前記ユーザに対応する既存情報を識別し、
前記ユーザ固有の情報、文脈情報及び前記既存情報の少なくとも一部に関連付けられた、所望のオンライン対話に特化した短符号を生成し、
前記ユーザ要求を受け取った元の前記光ディスクプレーヤへ前記ネットワークを介して前記短符号を送信する、
ように構成されることを特徴とするバックエンドサーバ。
【請求項１４】
前記ユーザ要求が、前記光ディスクプレーヤにより表示されるオンライン対話オプションを前記ユーザが選択したときに生成される、
ことを特徴とする請求項１３に記載のバックエンドサーバ。
【請求項１５】
前記ユーザ固有の情報が、前記ユーザ、光ディスクプレーヤ、又は前記ユーザの家族に一意の識別番号を含む、
ことを特徴とする請求項１３に記載のバックエンドサーバ。
【請求項１６】
前記文脈情報が、前記ユーザ要求時に視聴されていたコンテンツ、前記ユーザ要求時にアクセスされていた光ディスクプレーヤのメニュー、光ディスクプレーヤの種類、前記ユーザの場所、及び前記ユーザ又はプレーヤに視聴されたコンテンツの履歴に関する情報の少なくとも１つを含む、
ことを特徴とする請求項１３に記載のバックエンドサーバ。
【請求項１７】
前記既存情報が、前記ユーザの名前、住所、電話番号及びクレジットカード情報、メディア形式の好み、視聴履歴、プレーヤの設定の好み、ユーザ名及びパスワード、小売店固有の値付け又は割引き、近日公開される劇場情報、カスタマイズされた情報、ソーシャルネットワーク又はインスタントメッセージングリスト、及びライブサーチパラメータの少なくとも１つを含む、
ことを特徴とする請求項１３に記載のバックエンドサーバ。
【請求項１８】
前記プロセッサが、前記コンピュータ実行可能命令を実行して、前記短符号を、前記既存情報、ユーザ固有の情報及び文脈情報とともにリレーショナルデータベースに記憶するようにさらに構成される、
ことを特徴とする請求項１３に記載のバックエンドサーバ。
【請求項１９】
前記短符号が４桁から６桁の間の英数字から成る、
ことを特徴とする請求項１３に記載のバックエンドサーバ。
【請求項２０】
前記プロセッサが、前記コンピュータ実行可能命令を実行して、前記短符号を、ウェブサイトインターフェイスに組み入れられた第２の家庭用電子機器から前記ネットワークを介して受け取るようにさらに構成される、
ことを特徴とする請求項１３に記載のバックエンドサーバ。
【請求項２１】
前記第２の家庭用電子機器が、パーソナルコンピュータ、ラップトップ、携帯情報端末及びスマートフォンのうちの１つを含む、
ことを特徴とする請求項２０に記載のバックエンドサーバ。
【請求項２２】
前記プロセッサが、前記コンピュータ実行可能命令を実行して、所望の対話を実現する対象ウェブサイトを含むとともに前記既存情報の少なくとも一部をさらに含む利用可能な情報を含む、前記短符号に関連する利用可能な情報をデータベースから取り出すようにさらに構成される、
ことを特徴とする請求項２０に記載のバックエンドサーバ。
【請求項２３】
前記プロセッサが、前記コンピュータ実行可能命令を実行して、前記対象ウェブサイト上の１又はそれ以上のデータフィールドを前記利用可能な情報で埋めるようにさらに構成される、
ことを特徴とする請求項２２に記載のバックエンドサーバ。
【請求項２４】
前記プロセッサが、前記コンピュータ実行可能命令を実行して、前記１又はそれ以上のデータフィールドが埋められた後に前記ユーザを前記対象ウェブサイトにリダイレクトするように構成される、
ことを特徴とする請求項２３に記載のバックエンドサーバ。
【発明の詳細な説明】
【技術分野】
【０００１】
〔関連出願との相互参照〕
本出願は、２００９年１０月１５日に出願された米国仮出願番号６１／２５２，０８０号の利益を主張するものである。
【０００２】
本発明は、一般に光ディスクプレーヤを使用して開始されたオンライン対話を簡略化することに関し、具体的には、光ディスクプレーヤのユーザが必要とするデータ入力の量を最小化することによりオンライン対話を効率化するための改善方法に関する。
【背景技術】
【０００３】
Ｂｌｕ−ｒａｙ（商標）プレーヤなどのネットワーク対応光ディスクプレーヤを使用してオンライン対話を開始すると、ユーザによる大量の情報提供が必要とされる。しかしながら、光ディスクプレーヤは、データ入力に使用する場合には全く適していない。この結果、最近になって光ディスクプレーヤのユーザに提供されているオンラインコマーシャルの提供及び拡張したオンラインサービスの恩恵を受けるために、このようなユーザにとって面倒かつ不便な処理が生じる。
【０００４】
一例として、Ｂｌｕ−ｒａｙ（商標）プレーヤなどの光ディスクプレーヤはますますネットワーク対応になってきており、例えばＢＤ  Ｌｉｖｅ（商標）という登録商標で行われているサービスのような様々なサービスを使用して様々なオンライン対話に参加するための機会がユーザに提供される。このようなオンラインサービス及びコンテンツとして、電子商取引、オンラインチャット、オンラインゲーム、ダウンロード可能な短編映画、ダウンロード可能なクイズ、ダウンロード可能な映画の予告編などを挙げることができる。しかしながら、多くの場合、このような提供物を活用するには、ユーザが自身の光ディスクプレーヤのリモコンを使用して複数の情報フィールドに入力を行う必要がある。例えば、クレジットカードを使用したオンライン購入の状況では、ユーザはクレジットカード情報を手動で入力しなければならないだけでなく、氏名、住所、電話番号等の数多くの追加データフィールドも埋めなければならず、この間ずっと装置のリモコンを使用する。
【発明の概要】
【発明が解決しようとする課題】
【０００５】
従って、光ディスクプレーヤを使用して開始されるオンライン対話を容易にするための改善方法が必要とされている。
【課題を解決するための手段】
【０００６】
本明細書では、オンライン対話を容易にするための方法及びシステムについて開示し、これについて特許請求する。１つの実施形態では、この方法は、光ディスクプレーヤによりネットワーク接続を介して提供される、所望のオンライン対話に対応するユーザ要求からユーザ固有の情報及び文脈情報を引き出すステップを含む。この方法は、ユーザ固有の情報を使用して、ユーザに対応する既存情報を識別するステップと、その後所望のオンライン対話に特化した短符号を生成するステップとをさらに含み、この短符号は、ユーザ固有の情報、文脈情報及び既存情報の少なくとも一部に関連付けられる。最終的に、この短符号は、ユーザ要求を受け取った元の光ディスクプレーヤへネットワークを介して送信される。
【０００７】
当業者には、以下の発明の詳細な説明に照らして、本発明のその他の態様、特徴、及び技術が明らかになるであろう。
【０００８】
全体を通じて同じ参照符号が同様のものを示す図面を併用すると、以下に示す詳細な説明から本発明の特徴、目的、及び利点が明らかになるであろう。
【図面の簡単な説明】
【０００９】
【図１】本発明の１つの実施形態により構成されるシステムのブロック図である。
【図２Ａ】本発明の１又はそれ以上の態様を実施するための処理を表す図である。
【図２Ｂ】本発明の１又はそれ以上のさらなる態様を実施するための処理を表す図である。
【発明を実施するための形態】
【００１０】
開示の外観
以下の開示は、光ディスクプレーヤのユーザが必要とするデータ入力の量を最小化することによりオンライン対話を効率化することに関する。具体的には、本開示の１つの態様は、光ディスクプレーヤから開始されたユーザ要求から情報を引き出すこと関する。次に、引き出した情報の少なくとも一部を使用して、要求を行っているユーザに対応する利用可能な既存のデータが存在するかどうかを識別する。その後短符号を生成し、これをネットワークを介して光ディスクプレーヤへ返送することができ、この生成された短符号は、所望のオンライン対話に特化したものであるとともに、引き出した情報と既存情報の少なくとも一部とに関連付けられる。
【００１１】
本発明の別の態様は、その後ユーザがこの短符号をパーソナルコンピュータ、ラップトップ、携帯情報端末又はスマートフォンなどの第２の家庭用電子機器からバックエンドサーバへ返送できるようにする。次に、この受け取った短符号を使用して、所望の対話を実現するための対象ウェブサイト及びいずれかの以前に識別した既存情報の少なくとも一部などの関連情報を取り出すことができる。その後、この取り出した情報を使用して、対象ウェブサイト上の１又はそれ以上のデータフィールドを、ユーザがこのウェブサイトにリダイレクトされる前に埋めることができる。このようにして、ユーザは、いくつもの異なるオンライン対話に参加するために複数のウェブサイトアドレス及び関連する個人情報を入力する必要がなくなる。
【００１２】
本明細書で使用する場合、「１つの（英文不定冠詞）」という用語は、１又はそれ以上を意味するものとする。「複数の」という用語は、２又はそれ以上を意味するものとする。「別の」という用語は、第２の又はそれ以上の、と定義される。「含む（ｉｎｃｌｕｄｉｎｇ）」及び／又は「有する（ｈａｖｉｎｇ）」という用語には（「からなる（ｃｏｍｐｒｉｓｉｎｇ）」のように）制限がない。本明細書で使用する場合、「又は」という用語は包括的なものとして解釈すべきであり、すなわちいずれか１つ又はあらゆる組合せを意味する。従って、「Ａ、Ｂ又はＣ」は「Ａ、Ｂ、Ｃ、ＡとＢ、ＡとＣ、ＢとＣ、ＡとＢとＣ、のいずれか」を意味する。この定義に対する例外は、要素、機能、ステップ又は行為の組合せが何らかの形で本質的に互いに相容れない場合にのみ生じる。
【００１３】
本明細書を通じて、「１つの実施形態」、「いくつかの実施形態」、「ある実施形態」、又は類似の用語に対する言及は、実施形態に関連して説明する特定の機能、構造又は特性が、本発明の少なくとも１つの実施形態に含まれることを意味する。従って、本明細書を通じて至るところに出現するこのような語句は、必ずしも全てが同じ実施形態について言及しているものではない。さらに、本発明を限定しない１又はそれ以上の実施形態では、上記特定の特徴、構造又は特性をあらゆる好適な態様で組み合わせることができる。
【００１４】
コンピュータプログラミングの当業者の手法に従って、以下、コンピュータシステム又は同様の電子システムにより実行される動作を参照しながら本発明について説明する。このような動作は、コンピュータが実行したものとして見なされることもある。符号で表される動作として、中央処理装置などのプロセッサによる、データビットを表す電気信号の操作、及びシステムメモリ内などの記憶場所におけるデータビットの保持、並びにその他の信号の処理が挙げられることが理解されよう。データビットを保持する記憶場所とは、データビットに対応する特定の電気的、磁気的、光学的、又は有機的特性を有する物理的場所のことである。
【００１５】
ソフトウェアの形で実現される場合、基本的に本発明の要素は、必要なタスクを行うための、プロセッサが実行可能なコードセグメントである。このコードセグメントは「プロセッサ可読媒体」に記憶することができ、これには情報を記憶できるあらゆる媒体が含まれる。プロセッサ可読媒体の例として、電子回路、半導体メモリ装置、ＲＯＭ、フラッシュメモリ又はその他の不揮発性メモリ、フロッピー（登録商標）ディスク、ＣＤ−ＲＯＭ、光ディスク、ハードディスクなどが挙げられる。
【００１６】
例示的な実施形態
図１は、本発明の原理により構成されるシステム１００を表している。具体的には、システム１００は、Ｂｌｕ−ｒａｙ（商標）プレーヤなどの光ディスクプレーヤ１０５を含む。光ディスクプレーヤ１０５は、（ＨＤＭＩ、Ｓビデオなどの）出力インターフェイス１１２を介してディスプレイ１１０に結合される。光ディスクプレーヤ１０５は、プロセッサ１１５、メモリ１２０、ネットワークインターフェイス１２５及び少なくとも１つの入力インターフェイス１３０をさらに含む。リモコン１３５などの入力装置を使用して、入力インターフェイス１３０を介して光ディスクプレーヤ１０５に様々な入力を提供することができる。１つの実施形態では、ネットワークインターフェイス１２５が、光ディスクプレーヤ１０５をインターネット１４０に接続するように構成される。
【００１７】
１つの実施形態では、１又はそれ以上の別個のプロセッサとして実装できるプロセッサ１１５が、ユーザが利用できるあらゆる双方向サービス及びコンテンツに関連する様々なメッセージを表示することを含む光ディスクプレーヤ１０５の機能を制御するように構成される。メモリ１２０は、光ディスクプレーヤ１０５を動作させて制御するための実行可能な命令シーケンスを含むことができる。
【００１８】
光ディスクプレーヤ１０５は、Ｂｌｕ−ｒａｙディスク（商標）などの様々な種類の光ディスクを復号（再生）するように構成することができ、これらの光ディスクは、マルチメディアコンテンツのみならず、オンライン購入（すなわち電子商取引）、オンラインチャット、オンラインゲーム、ダウンロード可能な短編映画、ダウンロード可能なクイズ、ダウンロード可能な映画の予告編などを含む、オンライン対話に参加するための追加のユーザ選択可能なオプションを含むこともできる。このような光ディスクの作成時には、これに１又はそれ以上のメニューを符号化することができ、ユーザはこのメニューから、例えばリモコン１３５を使用して１又はそれ以上の対話オプションの選択を行うことができる。
【００１９】
引き続き図１を参照すると、ここにはユーザコンピュータ１４５も示しており、これはブラウザ型アプリケーション又はグラフィカルユーザインターフェイスを介してウェブページにアクセスできるいずれのインターネット対応コンピュータ、携帯電話などであってもよい。ユーザコンピュータ１４５及び光ディスクプレーヤ１０５は各々顧客構内に位置し、インターネット１４０を介してバックエンドサーバ１５０と通信することができる。
【００２０】
バックエンドサーバ１５０を、ユーザ固有の情報、取引固有の情報及び／又は装置固有の情報を含むことができる１又はそれ以上のデータベース（すなわちデータベース１５５）に関連付けることもできる。さらに、ユーザコンピュータ１４５及び光ディスクプレーヤ１０５は各々、別個の接続又は（無線ＬＡＮなどの）共通の接続を使用してインターネット１４０にアクセスするように構成される。
【００２１】
バックエンドサーバ１５０は、独自のネットワークインターフェイス１６０、プロセッサ１６５及びメモリ１７０をさらに備えることができる。ネットワークインターフェイス１６０は、サーバ１５０をインターネット１８０又はその他のいずれかのネットワークに接続するように構成することができる。メモリは、プロセッサ実行可能命令を含むことができ、この命令は、プロセッサ１６５により実行された場合、図２Ａ〜図２Ｂに関して詳述する処理をサーバ１５０に実行させる。
【００２２】
ここで図２Ａを参照すると、光ディスクプレーヤ（図１の光ディスクプレーヤ１０５など）を使用する本発明の１又はそれ以上の態様を実施するための処理を示している。ある実施形態では、インターネット１４０などのネットワーク接続を介して光ディスクプレーヤと通信するように構成された、図１のサーバ１５０などのバックエンドサーバにより処理２００を実行することができる。
【００２３】
いずれにせよ、処理２００はブロック２０５から開始し、ここでバックエンドサーバが光ディスクプレーヤからインターネット１４０を介してユーザ要求を受け取る。ある実施形態では、このユーザ要求を、光ディスクプレーヤを使用してオンライン対話に参加するための要求とすることができる。このユーザ要求は、光ディスクプレーヤによって表示される１又はそれ以上のメニューを使用して作成することができ、ユーザはこのメニューから、例えばリモコン１３５を使用して１又はそれ以上の対話オプションを選択することができる。ユーザ要求は、オンライン購入、オンラインチャットへの参加、オンラインゲーム、マルチメディアコンテンツのダウンロードなどを行うための要求であってもよい。
【００２４】
光ディスクを作成する際に、そのコンテンツに対話アイコンを組み込むことができる。このようなアイコンが選択された場合、望む対話が何であるか、例えば、詳細に識別したディスクの購入、特定のディスクの登録などを示す要求を生成することができる。しかしながら、望む対話が何であるかを単純に示すことに加え、本発明の１つの態様は、ユーザ要求にユーザ固有の情報及び所望のオンライン対話に関するその他の文脈情報を符号化することでもある。ユーザ固有の情報は、要求を提出するために使用されている特定の光ディスクプレーヤ固有の一意のＩＤ、又は、家族さらには特定のユーザに割り当てられた一意のＩＤを含む。ある実施形態では、このユーザ固有の情報を、特定のユーザ、装置又は家族を表す暗号ハッシュとすることができる。
【００２５】
文脈情報は、要求を提出したときにユーザがどのコンテンツを視聴していたか、現在どのメニューがアクティブであるか（登録メニュー、取引メニューなど）、要求を行うためにどの種類のプレーヤが使用されたか、（ＩＰアドレスの解析に基づく）ユーザの場所、ユーザ／プレーヤに視聴されたコンテンツの履歴（予告編、映画全編など）、ユーザが遠隔キーボードを介してプレーヤに提出するための要求、再生制御のための追加の遠隔装置として遠隔装置を使用するための要求、ディスクに埋め込んだ機械可読符号をサーバへ送信することによりディスクを（違法コピーとは違い）本物として検証するための要求、ユーザがディスクを購入した先の業者に関する特別な値付け又は割引きを提供するために機械可読符号を送信するための要求などに関する情報を含むことができる。ユーザ要求はまた、（登録する映画名、購入するディスク名などの）所望の実際のアイテム又は行動を含むこともできる。
【００２６】
ユーザ要求が受け取られると、処理２００はブロック２１０へ続き、ここでユーザ固有の情報及びその他の文脈情報を引き出して（データベース１５５などの）データベースに記憶することができる。
【００２７】
次に処理２００はブロック２１５へ続き、ここでユーザ固有の情報（すなわち、ユーザ／装置の暗号ハッシュ）を使用して、要求元のユーザに関する既存情報を入手できるかどうかを調べることができる（例えばデータベース１５５の検索作業など）。このような既存情報は、提供された以前の製品登録情報、以前に提供されたクレジットカード情報、以前購入したアイテムなどに由来するものであってもよい。この種の以前の行動から得られる特定の種類の情報として、ユーザの名前、住所、電話番号、クレジットカードの詳細、メディア形式の好み、視聴履歴、プレーヤ設定の好み、ユーザ名及びパスワード、小売店固有の値付け又は割引き、ユーザの場所に基づく近日公開される又は追加の映画会社が公開する劇場情報、カスタマイズした天気、ニュース又はスポーツ情報、新たな又は既存のソーシャルネットワーク又はインスタントメッセージングサイトの友人リスト、映画、映画会社、役者、設定、特定の値付けに対するユーザの適任性、無償品、景品又はデジタル情報に関する情報を検索するためのライブサーチパラメータを挙げることができる。
【００２８】
次に処理２００はブロック２２０へ続き、ここで所望の対話に一意の短符号を生成することができる。本発明の１つの態様は、光ディスクプレーヤのユーザが必要とするデータ入力の量を最小化することであるため、この短符号生成処理は、ユーザが依然として利用できる最も短い符号を決定する一連のサブ処理から成ることができる。このため、以前割り当てた短符号がいつ再び再利用に利用できるようになるかを識別するために、バックエンドサーバも短符号の使用を追跡することができる。短符号に限定された期間を与えて、これらを最終的に別のユーザ要求に再利用できるようにすることを確実にすることができる。
【００２９】
短符号は、４桁から６桁の間にできることが理想的ではあるが、同様により多くの又はより少ない桁数から成ることもできる。しかしながら、使用する桁数が少なすぎた場合、利用可能な未使用の符号よりも多くの短符号要求が生じ得るため、うっかり２人以上のユーザに同じ短符号が提供される可能性がある。これとは逆に、使用する桁数が多すぎた場合、処理が過度に面倒なものになる可能性がある。
【００３０】
乱数発生器を使用して短符号を生成することもでき、或いは一連の利用可能なコードに沿った次に利用可能なコードとすることもできる。いずれにせよ、生成された短符号は所望の対話を表すものとなる。その後、ブロック２２５において、短符号をユーザ固有の情報、文脈情報及び識別された既存情報（ブロック２１５を参照）の一部又は全てに関連付けることができる。これらの関連付けを、データベース１５５などのリレーショナルデータベースに記憶することができる。
【００３１】
しかしながら、生成された短符号に全ての既存情報及び文脈情報を関連付ける必要はない。例えば、ブロック２０５において受け取ったユーザ要求が購入ベースの要求ではない場合、ユーザのクレジットカード情報が分かっていたとしても、これを短符号に関連付ける必要はない。
【００３２】
最終的に、ブロック２３０において、生成された短符号を光ディスクプレーヤに返送してユーザに表示することができる。この時点で、ユーザは、所望のオンライン対話の全ての詳細、並びにユーザの既知の及び関連する情報を全て非明示的に含む短い英数字の連続を有するようになる。ある実施形態では、光ディスクプレーヤが、短符号を入力できるウェブサイトのウェブアドレス（ＵＲＬ）を表示することもできる。好ましい実施形態では、このウェブアドレスを、（ｂｄｌｉｎｋ．ｍｅなどの）所望の対話に固有のものではない単純な一般的アドレスとすることができる。
【００３３】
或いは、光ディスクプレーヤに結合されたディスプレイ上に、バーコード形式などの非英数字の態様で短符号を表示することもできる。その後、ユーザは、携帯電話カメラなどのカメラを使用してバーコードのイメージを取り込む。このようにして、既知の技術を使用してこのイメージを基本となる値に容易に変換し、上述のウェブサイトに自動的にアップロードすることができるので、ユーザはテキストを手動入力する必要性を完全に避けることができる。
【００３４】
ここで図２Ｂを参照すると、処理２００はブロック２３５へ続き、ここで、ユーザが、（ユーザコンピュータ１４５などの）インターネット対応のユーザコンピュータ又は携帯電話などの第２の家庭用電子機器を使用して、以前に生成された短符号（ブロック２２０）を所定のウェブサイトに提供することができる。ユーザは、ブロック２３０において上記ユーザに表示された短符号を書き留め、メモし、又は別様に取り込み、その後ブロック２３５において、同じユーザがブラウザ対応の家庭用電子機器を使用して、この短符号を（バックエンドサーバ１５０などの）バックエンドサーバに戻すことが好ましい。ある実施形態では、ユーザから提供されるあらゆる種類の所望の対話のための短符号を受け入れるポータルとして機能する（ｄｂｌｉｎｋ．ｍｅなどの）単純なウェブアドレスを最初に訪問することによりユーザが短符号を提供する。ウェブサイトのインターフェイスは書込可能フィールドを含むことができ、ユーザはこの中に短符号を入力することができる。ユーザが短符号を提供するウェブサイトは、当然ながらその他の特徴及び機能を有することができるが、無数の所望のオンライン対話に使用される単純なウェブアドレスであることが好ましい。
【００３５】
いずれにせよ、短符号がバックエンドサーバによって受け取られると、処理２００はブロック２４０へ続き、ここでこの短符号を使用してデータベースから情報を取り出すことができる。一例として、短符号を使用して、引き出した情報、及びブロック２２５において短符号に以前関連付けた既存情報などのあらゆる関連情報のデータベース検索を行うことができる。また、ブロック２４０では所望の対話に関連する種類の情報のみを取り出すこともできる。
【００３６】
ブロック２４０において取り出した情報の少なくとも一部に基づいて、次にブロック２４５において、所望の対話に対応する対象ウェブサイトを識別することができる。特に、所望の対話に対応する情報に短符号自体を関連付けておくことができるので、所望の対話を実現するウェブサイトを識別できるようになる。例えば、ユーザ要求（ブロック２０５）が特定の光ディスクを購入するための要求であった場合、対象ウェブサイトは電子商取引ウェブサイトとなる。同様に、ユーザ要求（ブロック２０５）が光ディスクを登録するための要求であった場合、対象ウェブサイトは登録サーバに対応するものとなる。
【００３７】
ブロック２４５において対象ウェブサイトが識別されると、処理２００はブロック２５０へ続き、ここで、ブロック２４０において取り出した情報の少なくとも一部を使用して、対象ウェブサイト上の１又はそれ以上のデータフィールドを予め満たし、又は埋めることができる。非限定的な例として、購入要求を提出した特定のユーザに以前関連付けた情報で電子商取引ウェブサイトのクレジットカード番号フィールドを自動的に完成させ、或いは予め満たすことができる。同様に、ユーザの名前及び所望の対話のために生成された短符号に以前関連付けた情報（ブロック２２０）及びユーザにより提供された情報（ブロック２３５）で登録ウェブサイト上の名前及び住所フィールドを自動的に完成させ、或いは予め満たすことができる。
【００３８】
この時点で、１又はそれ以上の既に完成したデータフィールドを有する対象ウェブサイトをユーザ（すなわち、ユーザのブラウザアプリケーション）に自動的にリダイレクトすることができる。このようにして、数多くの効率性及び利便性が実現される。第１に、ユーザが何を行うことを要求しているかに関わらず、唯一の単純なポータルアドレスを使用して全ての短符号を入力することができるので、ユーザは異なるオンライン対話に参加するために複数のウェブサイトアドレスを覚えたり、又は手動で入力したりする必要がなくなる。第２に、ユーザが以前に提供した個人情報を生成された短符号に関連付け、ブロック２１０において要求から取り出されたユーザ固有の情報、並びにブロック２１５において識別されたあらゆる既存情報の両方から自動的に取り出すことができるので、ユーザはこのような情報を再入力する必要がなくなる。第３に、元々の要求から得られる文脈情報が同様に引き出され（ブロック２１０）、これを使用して所望の対話に一意の短符合を生成する（ブロック２２０）ので、ユーザは要求固有の情報を入力する必要がなくなる。本発明の原理を使用してその他の利点を実現することもできる。
【００３９】
いくつかの例示的な実施形態について説明するとともに添付図面に示したが、このような実施形態は、幅広い本発明を例示するものにすぎず限定的なものではないこと、及び当業者には様々な他の修正が浮かぶと思われるため、図示及び説明した特定の構造及び構成に本発明を限定すべきではない。本明細書で参照した商標及び著作権は、これらのそれぞれの所有者の所有物である。
【図１】
2011101357.tif 000003
【図２Ａ】
2011101357.tif 000004
【図２Ｂ】
2011101357.tif 000005
【外国語明細書】
2011101357.tif 000006
2011101357.tif 000007
2011101357.tif 000008
2011101357.tif 000009
2011101357.tif 000010
2011101357.tif 000011
2011101357.tif 000012
2011101357.tif 000013
2011101357.tif 000014
2011101357.tif 000015
2011101357.tif 000016
2011101357.tif 000017
2011101357.tif 000018
2011101357.tif 000019
2011101357.tif 000020
2011101357.tif 000021
2011101357.tif 000022
2011101357.tif 000023
2011101357.tif 000024
2011101357.tif 000025
2011101357.tif 000026
2011101357.tif 000027